(57)【要約】【課題】着用者の眼部下方の鼻寄りの顔面に存在する窪みにもかかわらず、接顔パッドと着用者の眼部周囲の顔面との密着に影響を受けずに密閉性を完全に保つことができ、しかも装着感を悪くすることなく、水漏れすることのないスイミングゴーグルを提供する。【解決手段】ゴーグル本体１に装着した接顔パッド１１の着用者の眼部周囲の顔面に沿って接触するように形成した接顔部１４に、着用者の眼部下方の鼻寄りの顔面に存在する窪みに対応するようにした隆起面部１５を設けたものとしている。【選択図】    図６
2010178794.tif 000002
【特許請求の範囲】
【請求項１】
ゴーグル本体（１）に装着した接顔パッド（１１）の着用者の眼部周囲の顔面に沿って接触するように形成した接顔部（１４）に、着用者の眼部下方の鼻寄りの顔面に存在する窪みに対応するようにした隆起面部（１５）を設けたことを特徴するスイミングゴーグル。
【請求項２】
前記隆起面部（１５）を、接顔部（１４）を上下に二等分したときの下方の部分に位置するようにしたことを特徴する請求項１記載のスイミングゴーグル。
【請求項３】
前記隆起面部（１５）を、接顔部（１４）を上下左右に四等分したときの下方内側の部分に位置するようにしたことを特徴する請求項１記載のスイミングゴーグル。
【請求項４】
着用者の瞳孔の中心線（Ｌ）から前記隆起面部（１５）の頂点ｔまでの距離（Ｘ）を１１±５ｍｍとしたことを特徴する請求項１〜３の何れかに記載のスイミングゴーグル。
【請求項５】
前記隆起面部（１５）を、２０〜４０ｍｍの曲率半径（Ｒ）を有する曲面としたことを特徴する請求項１〜４の何れかに記載のスイミングゴーグル。
【請求項６】
前記接顔部（１４）の上面カーブ（１４ａ）と前記隆起面部（１５）の頂点（ｔ）までの差（Ｚ）を３．４±３ｍｍとしたことを特徴する請求項１〜５の何れかに記載のスイミングゴーグル。
【請求項７】
着用者の瞳孔の中心（Ｏ）から前記隆起面部（１５）の頂点（ｔ）までの距離（Ｙ）を１２〜２７ｍｍとしたことを特徴する請求項１〜６の何れかに記載のスイミングゴーグル。
【請求項８】
前記接顔パッド（１１）を、ゴーグル本体（１）に装着する前に、その接顔パッド（１１）の接顔部（１４）が着用者の顔面に沿って接触するように形成したことを特徴する請求項１〜７の何れかに記載のスイミングゴーグル。
【発明の詳細な説明】
【技術分野】
【０００１】
この発明は、環状の接顔パッドを備えたスイミングゴーグルに関するものである。
【背景技術】
【０００２】
従来、この種のスイミングゴーグルとしては、例えば図１０〜１３に示したように、左右一対のゴーグル本体２１が、レンズ部２２と、このレンズ部２２の周縁より後退するスカート部２３とを備え、このスカート部２３の周縁に、着用者の眼部周囲の顔面に密着する環状の接顔パッド２４が装着されたものが存在する（特許文献１）。
【０００３】
前記接顔パッド２４は、後面に全周に亘って環状に突出する環状突条２５が設けられたものとしている。さらに、前記接顔パッド２４は、図１２、１３に示したように、ゴーグル本体２１に装着される前には、スカート部２３の周縁の外周フランジ２６に対応する平坦な環状に形成され、スカート部２３の周縁に装着するには、この外側フランジ２６の湾曲形状に沿って湾曲させ、この外周フランジ２６の後面に貼着するようにしている。
【０００４】
このように構成された従来のスイミングゴーグルは、締付バンド等の締付力が弱くても、接顔パッド２４の環状突条２５を小さな面積で顔面に強く圧接でき、接顔パッド２４の顔面への密着度を効果的に高めることができるとしている。しかも、接顔パッド２４を熱プレス成形その他によって簡単に製造でき、構成が簡単で製造が容易で安価に提供できるとしている。
【０００５】
さらに、この種のスイミングゴーグルに使用される接顔パッド３１として、例えば図１４〜１９に示したように、原形が平面状で成形されており、ゴーグル本体３２の外周フランジ３３に外嵌される環状の枠体３４と、この枠体３４の内側縁よりクッション周壁３５を介して接顔部３６が一体に成形されたものが存在する（特許文献２、３）。
【０００６】
前記クッション周壁３５及び接顔部３６は、図１７〜１９に示したように、接顔パッド３１の原形状態において、枠体３４の内周縁から末広がりの薄肉に成形されており、このクッション周壁３５の末広がりの形状は、図１５に示したように、接顔パッド３１が外周フランジ３３に外嵌された状態、すなわち湾曲状に変形された状態であっても、クッション周壁３５は末広がりの形状が依然として維持されるとしている。さらに、前記接顔部３６は、顔面になじみ易いように、径外方向に湾曲されているとしている。
【０００７】
このように構成された接顔パッド３１を使用したスイミングゴーグルは、顔面に装着されると、接顔部３６は顔面に沿わされ、クッション周壁３５が径外方向に変形され、顔面とのフィット性の向上がはかられるとしている。また、接顔パッド３１は、原形が平面状で成形されているので、このパッドの成形に使用される金型の製作が容易となるとしている。
【先行技術文献】
【特許文献】
【０００８】
【特許文献１】実開平２−３７６６９号公報
【特許文献２】実公平２−４２３０６号公報
【特許文献３】実開平６−４８７１５号公報
【発明の概要】
【発明が解決しようとする課題】
【０００９】
ところで、スイミングゴーグルの着用者において、眼部下方の鼻寄りの顔面には、場所こそ多少違えても、窪みが存在している。
【００１０】
しかしながら、上記従来のスイミングゴーグルにおいては、いずれも接顔パッドが着用者の眼部周囲の顔面に密着するように工夫が凝らされているが、前記窪みが存在している部分においては対処しきれていなかった。すなわち、窪みが存在している部分においては、接顔パッドが着用者の眼部周囲の顔面に密着しているといっても、その密着力は弱く、接顔パッドに何らかの力が加わった場合には、その力の加わり具合によっては、わずかな隙間が生じてしまうことがあり、密閉性を完全に保つことができないという問題点を有していた。
【００１１】
さらに、上記従来のスイミングゴーグルにおいて、接顔パッドは、原形が平面状で成形されているので、接顔パッドがゴーグル本体の外周フランジに装着された状態、すなわち湾曲状に変形された状態では、その湾曲した部分が不均衡になったり、わずかな皺が生じたりして、着用者の眼部周囲の顔面との間に、わずかな隙間が生じてしまうことがあり、密閉性を完全に保つことができないという問題点を有していた。
【００１２】
そこで、この発明は、上記従来の問題点を解決することをその課題としており、着用者の眼部下方の鼻寄りの顔面に存在する窪みにもかかわらず、接顔パッドと着用者の眼部周囲の顔面との密着に影響を受けずに密閉性を完全に保つことができ、しかも装着感を悪くすることなく、水漏れすることのないスイミングゴーグルを提供することを目的としてなされたものである。
【課題を解決するための手段】
【００１３】
そのため、この発明のスイミングゴーグルは、ゴーグル本体１に装着した接顔パッド１１の着用者の眼部周囲の顔面に沿って接触するように形成した接顔部１４に、着用者の眼部下方の鼻寄りの顔面に存在する窪みに対応するようにした隆起面部１５を設けたものとしている。
【００１４】
そして、この発明のスイミングゴーグルは、前記隆起面部１５を、接顔部１４を上下に二等分したときの下方の部分に位置するようにしている。
【００１５】
さらに、この発明のスイミングゴーグルは、前記隆起面部１５を、接顔部１４を上下左右に四等分したときの下方内側の部分に位置するようにしている。
【００１６】
さらに、この発明のスイミングゴーグルは、着用者の瞳孔の中心線Ｌから前記隆起面部１５の頂点ｔまでの距離Ｘを１１±５ｍｍとしている。
【００１７】
さらに、この発明のスイミングゴーグルは、前記隆起面部１５を、２０〜４０ｍｍの曲率半径Ｒを有する曲面としている。
【００１８】
さらに、この発明のスイミングゴーグルは、前記接顔部１４の上面カーブ１４ａと前記隆起面部１５の頂点ｔまでの差Ｚを３．４±３ｍｍとしている。
【００１９】
さらに、この発明のスイミングゴーグルは、着用者の瞳孔の中心Ｏから前記隆起面部１５の頂点ｔまでの距離Ｙを１２〜２７ｍｍとしている。
【００２０】
さらに、この発明のスイミングゴーグルは、前記接顔パッド１１を、ゴーグル本体１に装着する前に、その接顔パッド１１の接顔部１４が着用者の顔面に沿って接触するように形成している。
【発明の効果】
【００２１】
この発明のスイミングゴーグルは、以上に述べたように構成されており、着用者の眼部下方の鼻寄りの顔面に存在する窪みにもかかわらず、接顔パッドと着用者の眼部周囲の顔面との密着に影響を受けずに密閉性を完全に保つことができ、しかも装着感を悪くすることなく、水漏れすることのないものとなった。
【図面の簡単な説明】
【００２２】
【図１】この発明に係るスイミングゴーグルの斜視図である。
【図２】この発明に係るスイミングゴーグルの平面図である。
【図３】この発明に係るスイミングゴーグルの底面図である。
【図４】ゴーグル本体の正面図である。
【図５】ゴーグル本体の平面図である。
【図６】ゴーグル本体の底面図である。
【図７】図４のＡ−Ａによるゴーグル本体の断面図である。
【図８】ゴーグル本体から分離した接顔パッドを底面側から見た説明図である。
【図９】ゴーグル本体から分離した接顔パッドを正面側から見た説明図である。
【図１０】従来のスイミングゴーグルの一例を示す断面図である。
【図１１】図１０に示すスイミングゴーグルのゴーグル本体から分離した接顔部の背面図である。
【図１２】図１１のＢ−Ｂ線による接顔パッドの断面図である。
【図１３】図１１のＣ−Ｃ線による接顔パッドの断面図である。
【図１４】従来のスイミングゴーグルのゴーグル本体の他の例を示す正面図である。
【図１５】図１４に示すゴーグル本体の平面図である。
【図１６】図１４のＤ−Ｄ線によるゴーグル本体の断面図である。
【図１７】図１４に示すゴーグル本体から分離した接顔パッドの正面図である。
【図１８】図１７に示す接顔パッドの平面図である。
【図１９】図１７のＥ−Ｅ線による接顔パッドの断面図である。
【発明を実施するための形態】
【００２３】
以下、この発明のスイミングゴーグルを実施するための形態を、図面に基づいて詳細に説明する。
【００２４】
この発明のスイミングゴーグルは、透明または半透明のポリカーボネート等の硬質合成樹脂からなる左右一対のゴーグル本体１を備えている。このゴーグル本体１は、レンズ部２と、レンズ部２の周縁より後退する周壁部３を有し、この周壁部３の後端側に、内方側に向けて周溝４を設け、この周溝４の後面を形成するようにして取付フランジ５が設けられている。
【００２５】
前記各ゴーグル本体１の内端部には、貫通孔６を有したれブラケット７が、周壁部３から突出するようにして設けられている。さらに、各ゴーグル本体１の外端部には、周壁部３から外方向に突出すようにしてベルト取付部８が設けられている。
【００２６】
前記ブラケット７の貫通孔６には、可撓性を有する連結体９の係合部９ａが係合されることにより、一対のゴーグル本体１が連結されている。さらに、前記ベルト取付部８には、伸縮自在の締付バンド１０の両端部がそれぞれ長さ調節可能に連結されている。
【００２７】
前記各ゴーグル本体１の取付フランジ５には、弾性エラストマー等の軟質合成樹脂からなる接顔パッド１１を装着している。この接顔パッド１１は、前記取付フランジ５に外嵌される環状の枠体１２と、この枠体１２の内側縁よりクッション周壁１３を介して接顔部１４を一体に成形している。そして、この接顔部１４は、着用者の眼部周囲の顔面に沿って接触するように形成している。なお、前記接顔パッド１１は、枠体１２を前記取付フランジ５に外嵌することにより、ゴーグル本体１に装着するものとしているが、枠体１２を前記取付フランジ５に接着するなどして、ゴーグル本体１に装着するものとしてもよい。
【００２８】
前記接顔パッド１１は、ゴーグル本体１に装着する前に、接顔部１４が着用者の顔面に沿って接触するように、クッション周壁１３が枠体１２の内側縁から末広がりの薄肉に成形されており、外方寄りになるにしたがって薄肉の末広がりになった部分が広くなるように形成している。さらに、前記接顔部１４は、着用者の眼部下方の鼻寄りの顔面に存在する窪みに対応するようにした隆起面部１５を設けている。この隆起面部１５は、図示したものでは接顔部１４を外側に湾曲させて隆起させたものとしているが、この部分の接顔部１４を分厚くして外側に隆起させたものとしてもよい。なお、前記接顔パッド１１の接顔部１４が着用者の顔面に沿って接触するように形成するには、着用者の顔面を三次元スキャンし、得られたデータを元に顔面形状を分析して、各部位の形状の変化に合わせ、その接顔部１４の形状を決定している。
【００２９】
前記隆起面部１５は、接顔部１４を上下に二等分したときの下方の部分に位置するようにしており、好ましくは接顔部１４を上下左右に四等分したときの下方内側の部分に位置するようにしている。さらに、前記隆起面部１５は、２０〜４０ｍｍの曲率半径Ｒを有する曲面としており、好ましくは２８〜３２ｍｍの曲率半径Ｒを有する曲面としている。また、前記隆起面部１５は、図８に示したように着用者の瞳孔の中心線Ｌからその隆起面部１５の頂点ｔまでの距離Ｘを１１±５ｍｍとするのが好ましく、図９に示したように着用者の瞳孔の中心Ｏからその隆起面部１５の頂点ｔまでの距離Ｙを１２〜２７ｍｍ、好ましくは２１〜２３ｍｍとしている。さらにまた、前記隆起面部１５は、接顔部１４の上面カーブ１４ａとその隆起面部１５の頂点ｔまでの差Ｚを３．４±３ｍｍとするのが好ましい。なお、前記隆起面部１５における曲率半径Ｒ、距離Ｘ、距離Ｙおよび差Ｚの値は、これらのうち少なくとも何れかを満足するものであればよいが、より多くを満足するものであるのが好ましいことは勿論であり、すべてを満足するものであるのがより好ましい。
【００３０】
以上のように構成されたこの発明のスイミングゴーグルは、着用時に接顔パッド１１の接顔部１４が着用者の眼部周囲の顔面を押圧し、さらにその接顔部１４に設けた隆起面部１５が着用者の眼部下方の鼻寄りの顔面に存在する窪みを押圧するので、接顔パッド１１は着用者の眼部周囲の顔面との間にわずかな隙間も生じることなく、密閉性を完全に保つことができ、水漏れすることがないものとなる。
【００３１】
さらに、この発明のスイミングゴーグルは、接顔パッド１１がゴーグル本体１に装着する前に、その接顔パッド１１の接顔部１４が着用者の顔面に沿って接触するように形成しているので、着用者の顔面へのフィット性がより向上し、装着感を悪くするようなことがない。
【００３２】
また、この発明のスイミングゴーグルは、接顔パッド１１がゴーグル本体１に装着する前に、その接顔パッド１１の接顔部１４が着用者の顔面に沿って接触するように形成しているので、接顔パッド１１をゴーグル本体１に装着した後にも、その接顔パッド１１の接顔部１４の形状が変化することなく、接顔部１４が不均衡になったり、わずかな皺が生じたりすることもないので、密閉性を完全に保つことができるものとなる。
【符号の説明】
【００３３】
１  ゴーグル本体
１１  接顔パッド
１４  接顔部
１４ａ  上面カーブ
１５  隆起面部
Ｌ  着用者の瞳孔の中心線
ｔ  隆起面部の頂点
Ｘ  Ｌからｔまでの距離
Ｒ  曲率半径
Ｏ  着用者の瞳孔の中心
Ｙ  Ｏからｔまでの距離
Ｚ  １４ａとｔまでの差
【図１】
2010178794.tif 000003
【図２】
2010178794.tif 000004
【図３】
2010178794.tif 000005
【図４】
2010178794.tif 000006
【図５】
2010178794.tif 000007
【図６】
2010178794.tif 000008
【図７】
2010178794.tif 000009
【図８】
2010178794.tif 000010
【図９】
2010178794.tif 000011
【図１０】
2010178794.tif 000012
【図１１】
2010178794.tif 000013
【図１２】
2010178794.tif 000014
【図１３】
2010178794.tif 000015
【図１４】
2010178794.tif 000016
【図１５】
2010178794.tif 000017
【図１６】
2010178794.tif 000018
【図１７】
2010178794.tif 000019
【図１８】
2010178794.tif 000020
【図１９】
2010178794.tif 000021